(57)【要約】【課題】袋状容器に充填した液体を氷らせた氷菓を注出口栓の脚で細かく砕くことができるようにし、氷菓が適正にクラッシュできる注出口栓付きの袋状容器を提供する。【解決手段】袋状容器のシール辺の間に固定されるシール部２から容器外方となる側に向けて注出口３が突出し、シール部２から袋状容器内に向けて脚４が延設されていて、脚４は、脚４の長さ方向に亘る棒状の芯部７とこの芯部７の周囲であって脚４の長さ方向に沿って間隔をおいて不連続に配置されて鋸歯状の歯列１０を形成する複数の薄歯部８とからなるものとした。【選択図】図２
2011207527.tif 000002
【特許請求の範囲】
【請求項１】
袋状容器のシール辺の間に固定されるシール部から容器外方となる側に向けて注出口が突出し、前記シール部から袋状容器内に向けて脚が延設されている袋状容器用注出口栓において、
前記脚は、脚の長さ方向に亘る芯部とこの芯部の周囲であって脚の長さ方向に沿って間隔をおいて不連続に配置されて鋸歯状の歯列を形成する複数の薄歯部とからなるものであることを特徴とする袋状容器用注出口栓。
【請求項２】
前記薄歯部の歯列が、前記芯部を中心にして対向する位置に形成されていて、薄歯部の歯列が対向する方向は、袋状容器の相対面する前後面の包材が対向する方向と同じである請求項１に記載の袋状容器用注出口栓。
【請求項３】
前記脚は平行な対にして設けられ、前記芯部それぞれには、該芯部が対向する方向での外方側に薄歯部の歯列が位置している請求項１に記載の袋状容器用注出口栓。
【発明の詳細な説明】
【技術分野】
【０００１】
本発明は、ゼリー飲料や氷菓などを充填したパウチタイプの袋状容器に取り付けられて、その袋状容器に充填されている食品をクラッシュした状態でのど越しよく食することができるようにするための注出口栓に関するものである。
【背景技術】
【０００２】
従来から手持ちできる大きさで柔軟な袋状容器にゼリー飲料などを充填するとともに飲み口となる部分を有した商品があり、この商品の袋状容器としては、正面シートと背面シートとの間の側面にマチとして側面シートを折り込んだ状態で配置して対向するシール辺同士をヒートシールしたパウチ容器や、正面シートと背面シートとの容器下辺側に底面シートを折り込んだ状態で配置して対向するシール辺同士をヒートシールしたパウチ容器としており、また、飲み口とする部分については、容器上辺での正面シートと背面シートとのシール辺の間に溶着させるようにして合成樹脂成形の注出口栓を取り付けており、その口栓を覆うネジ付けタイプのキャップを取り外し、飲み口からの吸引と袋状容器の握りつぶしなどを行なうことで、内容物を食することができるものである。
【０００３】
そして、上記注出口栓は、容器上辺でのシール辺の間に溶着固定するシール部から容器外方となる側に向けて注出口（飲み口）が突出しているとともに、前記シール部から容器内方となる側に向けて一対の脚が延設されており、この延設されている脚の主たる役割は、注出口栓を介して容器（パウチ容器）に充填するときにその容器が閉塞された状態とならないようにすることである。また、袋状容器に充填した液体を氷らせて氷菓として食する商品において、氷菓がクラッシュされた状態にして注出口から押出しし易くすることを目的として、特許文献１に示されているように、前記脚を、正面シートと背面シートとの対向方向を幅方向としている細長の板状にする工夫が提案されている。
【先行技術文献】
【特許文献】
【０００４】
【特許文献１】特許第４１３２６００号公報
【発明の概要】
【発明が解決しようとする課題】
【０００５】
しかしながら、上記注出口栓の脚を細長い板状となっているため、袋状容器を握り締めるような操作を行なっても、細長い板の縁に氷菓が押し付けられて比較的大きな割れが生じる程度にとどまり、凍結した状態の氷菓を砕くには十分ではなく、クラッシュされた小塊までにすることが困難であるという不具合がある。
【０００６】
そこで本発明は上記事情に鑑み、袋状容器に充填した液体を氷らせた氷菓を注出口栓の脚で細かく砕くことができるようにすることを課題とし、氷菓が適正にクラッシュできる注出口栓付きの袋状容器を提供することを目的とする。
【課題を解決するための手段】
【０００７】
（請求項１の発明）
本発明は上記課題を考慮してなされたもので、袋状容器のシール辺の間に固定されるシール部から容器外方となる側に向けて注出口が突出し、前記シール部から袋状容器内に向けて脚が延設されている袋状容器用注出口栓において、
前記脚は、脚の長さ方向に亘る芯部とこの芯部の周囲であって脚の長さ方向に沿って間隔をおいて不連続に配置されて鋸歯状の歯列を形成する複数の薄歯部とからなるものであることを特徴とする袋状容器用注出口栓を提供して、上記課題を解消するものである。
【０００８】
（請求項２の発明）
また、本発明において、前記薄歯部の歯列が、前記芯部を中心にして対向する位置に形成されていて、薄歯部の歯列が対向する方向は、袋状容器の相対面する前後面の包材が対向する方向と同じであるものとすることが可能である。
【０００９】
（請求項３の発明）
また、本発明において、前記脚は平行な対にして設けられ、前記芯部それぞれには、該芯部が対向する方向での外方側に薄歯部の歯列が位置しているものとすることが可能である。
【発明の効果】
【００１０】
（請求項１の発明の効果）
請求項１の発明によれば、脚の長さ方向に複数の薄歯部が並んで鋸歯状の歯列を形成していることから、袋状容器を握り締めるような手操作を繰り返すことで、凍結した氷菓がこれらの複数の薄歯部にズレながら当たることとなり、鋸歯で削られたような細かな氷の塊が得られる。すなわち、氷菓がクラッシュされて注出口栓の注出口から吸い出し易い形態になる。
【００１１】
（請求項２の発明の効果）
上述したように、袋状容器用注出口栓が取り付けられている袋状容器には注出口栓を介して収容物が充填される。そのため、請求項２の発明により、未充填の袋状容器の前後面の包材がくっつき合いをより確実に防止して、袋状容器への充填がスムーズに行なえるようになる。
【００１２】
（請求項３の発明の効果）
袋状容器用注出口栓は一般的に袋状容器の中心線上となる位置に配置される。そして、請求項３の発明によれば、対の脚それぞれに薄歯部が設けられているので、袋状容器内に幅広の鋸状物が形成された形態となって、薄歯部それぞれが、袋状容器の中心位置からより一層、袋状容器の内面側にある氷菓に近づいた配置となるため、袋状容器を細くなるように強く握りつぶさなくとも、袋状容器の内面側の氷菓を砕くことが容易になる。
【図面の簡単な説明】
【００１３】
【図１】本発明に係る袋状容器用注出口栓の一例を有する袋状容器を示す説明図である。
【図２】本発明に係る袋状容器用注出口栓の一例を示す説明図である。
【図３】対の脚を断面で示す説明図である。
【図４】薄歯部の配置の変形を示す説明図である。
【発明を実施するための形態】
【００１４】
つぎに本発明を図１から図４に示す実施の形態に基づいて詳細に説明する。
図中１は袋状容器用注出口栓で、該注出口栓１は、図１に示すように相対する正面シートａと背面シートｂとの容器下辺の間に底面シートｃを配し、正面シートａと背面シートｂとの間に前記底面シートｃを折り入れた状態で相対するシール辺をヒートシールしたパウチタイプの袋状容器ｄに取り付けられるものであり、正面シートａと背面シートｂとの容器上辺におけるシール辺の間に固定されている。そして、袋状容器用注出口栓１は、前記シール辺の間に位置してそのシール辺に溶着固定され中央に透孔２ａが開口されているシール部２と、このシール部２から前記透孔２ａと連通する筒状とした注出口３が容器外方となる側に突出した注出口３と、前記シール部２から袋状容器内に向けて延設された平行な対の脚４とが一体となり、合成樹脂材により成形されている。
【００１５】
上記シール部２におけるシール辺間となる個所は図示されているように上面視形状が舟状であり、正面シートａと背面シートｂのシール辺に良好に溶着して隙間を生じさせないものである。また、注出口３は外周に設けたネジ部に螺合するタイプのキャップ５により覆われる。そして、シール部２から延設されている対の脚４の対向方向が、袋状容器ｄの幅方向と同じとされ、その脚４それぞれの上部がシール部２における下面で、透孔２ａを間にした位置に設定されている。また、脚４のシール部２側とは反対側、すなわち、下部それぞれは渡り部６を介して一体となっている。さらに脚４の長さ方向でのほぼ中央部分においても渡り部６があり、対の脚４がその中央部分でも渡り部６を介して一体となっている。
【００１６】
上記脚４それぞれは、脚４の長さ方向に亘る棒状の芯部７とこの芯部７の周囲であって脚４の長さ方向に沿って間隔をおいて不連続に並ぶ複数の薄歯部８とが一体となっている。図示のように前記薄歯部８それぞれは脚４の長さ方向に直交する方向に張り出ているとともに、その薄歯部８の脚長さ方向での両端部は弧状を呈していて、脚長さ方向に隣り合う薄歯部８の間は芯部７に及ぶ円弧形状の切り欠き９となっている。そのため、複数の前記薄歯部８を脚４の長さ方向に間隔をおいて不連続に配置することで、鋸歯状の歯列１０が形成されている。脚４それぞれにおいて前記歯列１０が三つあり、図３に示すようにその内二つの歯列１０が前記芯部７を中心にして対向する位置に形成され、残りの一つの歯列１０が二本の脚４が対向する方向である袋状容器ｄの幅方向であって芯部７の容器側辺のシール部分ｅ側となる位置に形成されている。
【００１７】
芯部７を間にしている前記二つの歯列１０が設けられている位置の対向方向は、相対面している上記正面シートａと背面シートｂとの対向方向に同じであり（図３参照）、脚４それぞれにおいて、正面シートａと背面シートｂとの対向方向に沿って薄歯部８が立っている。上述したように袋状容器ｄが包材の対向辺をシール辺として封着して内部を収容空間としているパウチ容器であり、このパウチ容器の袋状容器ｄが未充填の時点において、相対面している位置関係にある正面シートａと背面シートｂとの内面同士が接した状態となり易いものであるが、正面シートａと背面シートｂとの間に脚４が対にして位置しているとともに、芯部７を間にしている前記二つの歯列１０の内の一方の歯列１０の薄歯部８が正面シートａに向けて立った状態となり、他方の歯列１０の薄歯部８が背面シートｂに向けて立った状態となっているため、未充填の時点で正面シートａと背面シートｂとが接し合う度合いが小さく、上記シール部２の下面側や脚４の周りに空間が形成される。よって、脚４の主たる役割を十分に果たして、注出口栓１から液体をスムーズに充填できるものとなっている。
【００１８】
脚４それぞれの三つの歯列１０の内、芯部７の周囲のおける容器側辺シール部分ｅ側に位置する歯列１０を形成している薄歯部８は、その容器側辺シール部分ｅに向けて立った状態となっており、さらに、脚４が対となって脚４それぞれが注出口栓１の中心線位置から前記容器側辺シール部分ｅに偏倚しており、この脚４での前記シール部分ｅ側に張り出るようにして薄歯部８が間隔をおいて並んでいるため、上述したように、対の脚４の全体として幅広の鋸状物を袋状容器ｄ内に形成することとなる。そのため、薄歯部８は、袋状容器ｄの幅方向に相対する側辺シール部分ｅにより近づく配置となり、氷菓がその容器側辺シール部分ｅの内面側にも深く形成されていた場合でも、容器中央側に大きく押し込まなくとも割れ易くなる。
【００１９】
そして、脚４それぞれは薄歯部８が切り欠き９と交互に並んで鋸歯状の上記歯列１０を複数列にして有しているため、氷菓を収容している袋状容器ｄを握ったり指先で挟み潰すなどすることでその氷菓が歯列１０により割れ、さらに、割れた氷菓の塊がズレながら脚４とこすれ合う際、複数の薄歯部１０がそれぞれ単独で前記塊に細かい割れや削れを生じさせることとなり、結果として氷菓を細かく砕くようになる。これに対して仮に脚４を板として、鋸歯状ではなく「刃」状とした場合には氷菓が大きく割れることはあるが、細かく砕けた状態となるまでには、その「刃」状となっている部分に繰り返し塊を当てる必要があり、小塊にするまでの手間がかかるものである。
【００２０】
上記例では、脚４の芯部７を間として位置が対向している歯列１０において、その歯列１０を形成している薄歯部８の位置も前記芯部７を間にして対向した位置にあって、芯部７を中心として対称の位置関係となるように配置されている。また、前記芯部７での容器側辺に向けて薄歯部８が凸となっている歯列１０についても、その歯列１０を形成している前記薄歯部８は前記対の歯列１０での薄歯部８の位置と対応している。すなわち、脚４において三つの歯列１０の薄歯部８は脚長さの方向での配置が揃えられている。
【００２１】
薄歯部８の配置は上述した実施の例に限定されるものではない。例えば、芯部７を間にしている前記二つの歯列１０と、残り一つの歯列１０との対応関係において、前記二つの歯列１０での切り欠き９と、容器側辺シール部分ｅ側の歯列１０の薄歯部８とが、脚長さ方向の位置で揃うようにしてもよい。また、芯部７を間にしている二つの歯列１０の対応関係において、一方の歯列１０での薄歯部８と、他方の歯列１０の薄歯部８とが、脚長さ方向で位置ズレ配置となったり、互い違い配置とするようにしてもよい。さらに、図４に示すように、芯部７の周方向で、薄歯部１０の中心位置および切り欠き９の中心位置を隣り合う歯列１０同士で非一致にしてもよい。このように、三つの歯列１０の薄歯部８の中心位置および切り欠き９の中心位置が芯部７の周方向で重ならないようにすれば、撓みに対する強度を高める上で有利となる。
【符号の説明】
【００２２】
１…注出口栓
２…シール部
２ａ…透孔
３…注出口
４…脚
５…キャップ
６…渡り部
７…芯部
８…薄歯部
９…切り欠き
１０…歯列
ａ…正面シート
ｂ…背面シート
ｃ…底面シート
ｄ…袋状容器
ｅ…容器側辺シール部分
【図１】
2011207527.tif 000003
【図２】
2011207527.tif 000004
【図３】
2011207527.tif 000005
【図４】
2011207527.tif 000006